(57)【特許請求の範囲】
【請求項１】
ウッドデッキ本体の外側部に当該外側部を覆う幕板が取付けられたウッドデッキであって、
前記幕板を前記ウッドデッキ本体の前記外側部に取付ける取付け構造は、
前記幕板の内側の板面に取付けられた取付け金具を前記ウッドデッキ本体の外側面に取付けられた被取付け金具に引掛けて係合させる金具同士の引掛け構造と、
前記幕板を前記被取付け金具に形成された座面上に載置させて下方側から支えた状態とする支持構造と、を備え、
前記金具同士の引掛け構造と前記支持構造とによって、前記幕板を前記ウッドデッキ本体の前記外側部にセットして、本締め前の自由状態で内外方向への移動と重力方向への移動とを拘束した仮留め状態として保持することができる仮留め構造が構成され、
前記幕板の前記ウッドデッキ本体に対する本締めが、前記幕板が載置された前記被取付け金具の前記座面の底面側から差し込み式の締結部材を差し込んで締結することにより行われることを特徴とするウッドデッキ。
【請求項２】
ウッドデッキ本体の外側部に当該外側部を覆う幕板が取付けられたウッドデッキであって、
前記幕板を前記ウッドデッキ本体の前記外側部に取付ける取付け構造は、
前記幕板の内側の板面に取付けられた取付け金具を前記ウッドデッキ本体の外側面に取付けられた被取付け金具に引掛けて係合させる金具同士の引掛け構造と、
前記幕板を前記被取付け金具に形成された座面上に載置させて下方側から支えた状態とする支持構造と、を備え、
前記金具同士の引掛け構造と前記支持構造とによって、前記幕板を前記ウッドデッキ本体の前記外側部にセットして、本締め前の自由状態で内外方向への移動と重力方向への移動とを拘束した仮留め状態として保持することができる仮留め構造が構成され、
前記取付け金具の前記金具同士の引掛け構造を構成する引掛け部を、前記幕板の内側の板面内における中央よりも上方寄りの位置に設定したことを特徴とするウッドデッキ。
【請求項３】
ウッドデッキ本体の外側部に当該外側部を覆う幕板が取付けられたウッドデッキであって、
前記幕板を前記ウッドデッキ本体の前記外側部に取付ける取付け構造は、
前記幕板の内側の板面に取付けられた取付け金具を前記ウッドデッキ本体の外側面に取付けられた被取付け金具に引掛けて係合させる金具同士の引掛け構造と、
前記幕板を前記被取付け金具に形成された座面上に載置させて下方側から支えた状態とする支持構造と、を備え、
前記金具同士の引掛け構造と前記支持構造とによって、前記幕板を前記ウッドデッキ本体の前記外側部にセットして、本締め前の自由状態で内外方向への移動と重力方向への移動とを拘束した仮留め状態として保持することができる仮留め構造が構成され、
前記取付け金具を、前記幕板の内側の板面と底面とに面であてがわれた状態となってセットされる断面「Ｌ」字状の形としたことを特徴とするウッドデッキ。
【請求項４】
ウッドデッキ本体の外側部に当該外側部を覆う幕板が取付けられたウッドデッキであって、
前記幕板を前記ウッドデッキ本体の前記外側部に取付ける取付け構造は、
前記幕板の内側の板面に取付けられた取付け金具を前記ウッドデッキ本体の外側面に取付けられた被取付け金具に引掛けて係合させる金具同士の引掛け構造と、
前記幕板を前記被取付け金具に形成された座面上に載置させて下方側から支えた状態とする支持構造と、を備え、
前記金具同士の引掛け構造と前記支持構造とによって、前記幕板を前記ウッドデッキ本体の前記外側部にセットして、本締め前の自由状態で内外方向への移動と重力方向への移動とを拘束した仮留め状態として保持することができる仮留め構造が構成され、
前記被取付け金具に、前記ウッドデッキ本体の天板面を構成するデッキ板の外側面にあてがわれて当該デッキ板の敷設位置を位置決めする当接部を設けたことを特徴とするウッドデッキ。
【請求項５】
ウッドデッキ本体の外側部に当該外側部を覆う幕板が取付けられたウッドデッキであって、
前記幕板を前記ウッドデッキ本体の前記外側部に取付ける取付け構造は、
前記幕板の内側の板面に取付けられた取付け金具を前記ウッドデッキ本体の外側面に取付けられた被取付け金具に引掛けて係合させる金具同士の引掛け構造と、
前記幕板を前記被取付け金具に形成された座面上に載置させて下方側から支えた状態とする支持構造と、を備え、
前記金具同士の引掛け構造と前記支持構造とによって、前記幕板を前記ウッドデッキ本体の前記外側部にセットして、本締め前の自由状態で内外方向への移動と重力方向への移動とを拘束した仮留め状態として保持することができる仮留め構造が構成され、
前記被取付け金具が、前記ウッドデッキ本体に形成された外側に突出する段差状の台座上に載置されて下方側から支持された状態で設けられることを特徴とするウッドデッキ。
【発明の詳細な説明】
【技術分野】
【０００１】
本発明は、ウッドデッキに関する。詳しくは、ウッドデッキ本体の外側部にこの外側部を覆う幕板が取付けられたウッドデッキに関する。
【背景技術】
【０００２】
この種のウッドデッキについては、例えば特許文献１に開示されている技術が知られている。すなわち、図８に示すように、このウッドデッキ１１０は、地盤Ｇの上に基礎１１５および土台１１２を組み上げて床パネル１１３を敷設した構成となっている。より詳しくは、ウッドデッキ１１０にはその外側部を覆うように幕板１２０が取付けられている。この幕板１２０は、床パネル１１３の敷設後に、作業者が幕板１２０を持ち上げて床パネル１１３の側面にあてがい、外側からネジ１２１を差し込んで固定することで取付けられる。
【先行技術文献】
【特許文献】
【０００３】
【特許文献１】特開平０７−１９７６２７号公報
【発明の概要】
【発明が解決しようとする課題】
【０００４】
しかし、上記ウッドデッキ１１０は、幕板１２０を床パネル１１３に固定するときに作業者が幕板１２０を持ち上げて床パネル１１３にあてがった状態に保持している必要があるため、幕板１１３の取付けの作業性が悪かった。本発明は、上記した問題を解決するものとして創案されたものであって、本発明が解決しようとする課題は、幕板の取付けの作業性を向上させることである。
【課題を解決するための手段】
【０００５】
上記課題を解決するために、本発明のウッドデッキは次の手段をとる。
まず、第１の発明は、ウッドデッキ本体の外側部にこの外側部を覆う幕板が取付けられたウッドデッキである。幕板をウッドデッキ本体の外側部に取付ける取付け構造は、幕板の内側の板面に取付けられた取付け金具をウッドデッキ本体の外側面に取付けられた被取付け金具に引掛けて係合させる金具同士の引掛け構造と、幕板を被取付け金具に形成された座面上に載置させて下方側から支えた状態とする支持構造と、を備えている。上記金具同士の引掛け構造と支持構造とによって、幕板をウッドデッキ本体の外側部にセットして、本締め前の自由状態で内外方向への移動と重力方向への移動とを拘束した仮留め状態として保持することができる仮留め構造が構成されている。
【０００６】
この第１の発明によれば、幕板をウッドデッキ本体に取付ける際に、幕板の取付け金具をウッドデッキ本体の被取付け金具に引掛けて幕板を被取付け金具の座面上に載置することで、幕板が金具同士の引掛け構造と、被取付け金具による支持構造と、によってウッドデッキ本体に仮留めされた状態となって保持される。
【０００７】
ついで、第２の発明は、上述した第１の発明において、幕板のウッドデッキ本体に対する本締めが、幕板が載置された被取付け金具の座面の底面側から差し込み式の締結部材を差し込んで締結することにより行われるものである。
【０００８】
この第２の発明によれば、幕板の仮留め状態では、幕板が金具同士の引掛け構造によってウッドデッキ本体に対して内外方向に移動しないようにしっかりと拘束されるため、幕板の仮留め状態から幕板を被取付け金具の座面に対して下方側から締結することで、幕板全体がウッドデッキ本体に対して内外方向に移動しないように本締めされて十分な保持強度で固定された状態となる。
【０００９】
さらに、第３の発明は、上述した第１または第２の発明において、取付け金具の上記金具同士の引掛け構造を構成する引掛け部を、幕板の内側の板面内における中央よりも上方寄りの位置に設定したものである。
【００１０】
この第３の発明によれば、取付け金具の引掛け部を幕板の内側の板面内における中央よりも上方寄りの位置に設定したことにより、取付け金具を被取付け金具に引掛けて係合させる際に、取付け金具の引掛け部が幕板の上方側から視認しやすくなる。
【００１１】
さらに、第４の発明は、上述した第１から第３のいずれかの発明において、取付け金具を、幕板の内側の板面と底面とに面であてがわれた状態となってセットされる断面「Ｌ」字状の形としたものである。
【００１２】
この第４の発明によれば、取付け金具を断面「Ｌ」字状の形としたことにより、取付け金具を幕板に対して、板厚方向と、上下方向と、に同時にあてがって位置決めすることが可能になる。
【００１３】
さらに、第５の発明は、上述した第１から第４のいずれかの発明において、被取付け金具に、ウッドデッキ本体の天板面を構成するデッキ板の外側面にあてがわれてデッキ板の敷設位置の位置決めをする当接部を設けたものである。
【００１４】
この第５の発明によれば、ウッドデッキ本体に取付けられる被取付け金具に当接部を設けたことにより、被取付け金具によってウッドデッキ本体に対するデッキ板の敷設位置を位置決めすることが可能になる。
【００１５】
さらに、第６の発明は、上述した第１から第５のいずれかの発明において、被取付け金具が、ウッドデッキ本体に形成された外側に突出する段差状の台座上に載置されて下方側から支持された状態で設けられるものである。
【００１６】
この第６の発明によれば、被取付け金具をウッドデッキ本体の台座上に載置することで、被取付け金具にかかる重力方向の荷重がウッドデッキ本体により支持されるようになる。
【発明の効果】
【００１７】
第１の発明によれば、幕板の取付け金具をウッドデッキ本体の被取付け金具に引掛けるとともに幕板を被取付け金具の座面上に載置する簡単な作業により、幕板を金具同士の係合によってウッドデッキ本体に引掛けた状態にして保持することができる。したがって、幕板の取付けの際に、作業者が幕板をウッドデッキ本体の側面部にあてがった状態にして保持しておく作業が不要になり、幕板の取付けの作業性を大幅に向上させることができる。
【００１８】
また、第２の発明によれば、幕板と幕板を下方側から支持する被取付け金具の座面とを差し込み式の締結部材を下方側から差し込んで締結するだけで、幕板をウッドデッキ本体に対して十分な保持強度でもって固定するように本締めすることができる。さらに、締結部材の差し込み跡が外部から見えにくい幕板の下方側に位置するので、ウッドデッキの見栄えを向上させることができる。
【００１９】
また、第３の発明によれば、取付け金具を被取付け金具に引掛けて係合させる際に、取付け金具の引掛け部が視認しやすくなるため作業性が向上する。
【００２０】
また、第４の発明によれば、取付け金具を幕板に対して板厚方向と上下方向とに同時にあてがって位置決めすることができるため、かかる取付けの作業性を向上させることができる。
【００２１】
また、第５の発明によれば、被取付け金具に当接部を設けたことにより、被取付け金具にデッキ板の敷設位置を位置決めする機能も持たせることができ、部品点数の合理化と、それに伴う組み付け作業の合理化と、を図ることができる。
【００２２】
また、第６の発明によれば、被取付け金具にかかる重力方向の荷重をウッドデッキ本体の強度で支持することができるので、幕板をウッドデッキ本体によって支持する支持強度をより高くすることができる。
【図面の簡単な説明】
【００２３】
【図１】実施例１にかかるウッドデッキの概略構成を表した斜視図である。
【図２】実施例１にかかるウッドデッキの組み付け状態を表した斜視図である。
【図３】実施例１にかかるウッドデッキの骨組みおよび被取付け金具の構成を表した斜視図である。
【図４】実施例１にかかるウッドデッキの前面幕板および取付け金具の構成を表した斜視図である。
【図５】実施例１にかかるウッドデッキの側面幕板および取付け金具の構成を表した斜視図である。
【図６】図２のＶＩ−ＶＩ線断面図である。
【図７】図２のＶＩＩ−ＶＩＩ線断面図である。
【図８】従来のウッドデッキの構成を表した側面図である。
【発明を実施するための形態】
【００２４】
以下に、本発明を実施するための形態について、図面を用いて説明する。
【実施例１】
【００２５】
始めに、実施例１のウッドデッキ１の構成について、図１ないし図７を用いて説明する。図２に示すように、このウッドデッキ１は、家屋Ｗの前庭に家屋Ｗに隣接して設けられている。具体的には、ウッドデッキ１は、上記前庭の地盤Ｇの上に土台となる骨組みが組まれ、その上に複数枚のデッキ板１３が敷設されることで、その本体部（ウッドデッキ本体１０）が家屋Ｗの壁に沿う方向（紙面左右方向）に長尺な直方体形状となって組まれて構成されている。そして、上記ウッドデッキ本体１０の外側面となる紙面左手前側と両サイドの框面には、それぞれ、化粧板となる幕板２０（前面幕板２０Ａ、側面幕板２０Ｂ）が取付けられて固定されている。
【００２６】
続いて、上記ウッドデッキ本体１０の骨組み構造について、図１および図２を用いて説明する。ウッドデッキ本体１０の骨組みは、地盤Ｇの上に碁盤の目状に並べられて設けられた９個の基礎石１５と、各基礎石１５の上に立設された９本の角筒状の束材１４と、ウッドデッキ本体１０の長手方向に並ぶ各３本の束材１４の間にそれぞれ掛け渡されて設けられた３本の長尺状の大引き材１２と、ウッドデッキ本体１０の長手方向と垂直な方向に並ぶ各３本の束材１４の間にそれぞれ掛け渡された３本の長尺状の根がらみ１６と、で構成されている。これにより、ウッドデッキ本体１０の骨組みは、大引き材１２と根がらみ１６とが井桁状に組まれた枠形状に構成されている。上記各基礎石１５は、コンクリートなどの人造石材により形成されている。また、各束材１４と各大引き材１２と各根がらみ１６は、それぞれアルミニウムなどの耐久性に優れた金属により形成されている。
【００２７】
詳しくは、図３に示すように、上記各束材１４は、各基礎石１５に対して、それらの根元部が「Ｌ」字板状の固定金具１５Ａを用いてネジ１５Ｂにより固定されている。各束材１４は、上部束材１４Ａと下部束材１４Ｂとを入れ子として全体の長さを調節し、テクスビス１４Ｂ１で上部束材１４Ａと下部束材１４Ｂとを締結する構成となっている。各束材１４には、その上面の開口部にダボ１４Ａ２が差し込まれてネジ１４Ａ３で固定されている。根がらみ１６は、断面「コ」字状の長尺部材により形成されており、その両端部と中央部とがそれぞれ各束材１４の側面にあてがわれてネジ１６Ａ（図６参照）により固定されている。各大引き材１２は、長尺の角筒状に形成されており、その両端部と中央部とがそれぞれ各束材１４の上面に形成された台座上に載置されている。
【００２８】
大引き材１２は、その上部に敷設された各デッキ板１３を支持するデッキ支持部１２Ａと、その角筒内の空洞として形成された空洞部１２Ｂと、角筒内部の壁面に突出して形成された複数のビスホール１２Ｂ１と、各束材１４にダボ継ぎされるダボ溝１２Ｃと、を備えている。デッキ支持部１２Ａは、大引き材１２の上面に一対の載置レール１２Ａ１を大引き材１２の長手方向に沿って設けることで構成されており、一対の載置レール１２Ａ１の間には係合溝１２Ａ２が形成されている。これにより、一対の載置レール１２Ａ１上に各デッキ板１３を載置して、後述する複数の位置決め金具１３Ａの底部を係合溝１２Ａ２にデッキ板１３の底面と干渉しないように係合させることができる。各大引き材１２の両端部には、後述する被取付け金具１１’が外側からネジ１１Ｅ’を上記各ビスホール１２Ｂ１にねじ込むことで締結される。ダボ溝１２Ｃは、大引き材１２の下面にその長手方向に沿って形成されており、上記ダボ１４Ａ２が嵌め込まれてネジ１４Ａ４で締結されることにより各束材１４にダボ継ぎされる。
【００２９】
続いて、ウッドデッキ本体１０のデッキ面を構成する各デッキ板１３の構成について、図６および図７を用いて説明する。各デッキ板１３は、リサイクルした高密度ポリエチレンなどの合成樹脂に木くずなどの植物の繊維を混合した合成木材（以下、本明細書では単に「合成木材」と記載する。）により成型されている。これにより、各デッキ板１３に木質感を持たせながら、各デッキ板１３の対候性を高めて腐敗とひび割れとを防止することができる。図６および図７に示すように、各デッキ板１３は、複数の空洞を備えた長尺の板状に成型されており、その各空洞は各デッキ板１３の長手方向に沿って延びる角柱形状に形成されている。これにより、デッキ板１３に十分な強度を持たせながら、デッキ板１３を軽量化して扱いやすくすることができる。各デッキ板１３は、その長尺の板面を３本の大引き材１２に対して直交するように掛け渡した状態で、大引き材１２の長手方向に沿って並べられて敷設されている。
【００３０】
詳しくは、各デッキ板１３は、各大引き材１２に固定されて設けられる複数の位置決め金具１３Ａによってその並び方向に位置決めされた状態として設けられている。各位置決め金具１３Ａは、その底部から板状の突起を起こしあげた構成とされている。各位置決め金具１３Ａは、その突起がデッキ板１３の側面に片側（図７で見て右側）からあてがわれた状態でネジ１３Ｂにより固定される。各位置決め金具１３Ａは、その底部が大引き材１２の係合溝１２Ａ２に係合された状態でネジ１３Ｂにより固定される。これにより、デッキ板１３が大引き材１２に固定される。さらに、図７に示すように、各位置決め金具１３Ａは、デッキ板１３を固定した状態で、固定されたデッキ板１３とは反対側（図７で見て右側）から別のデッキ板１３を係合させて位置決めさせることができる。これにより、位置決めされた１枚のデッキ板１３を基準として逐次的にデッキ板１３を位置決めして固定することができる。
【００３１】
ここまで、ウッドデッキ本体１０の各構成について説明してきた。続いて、ウッドデッキ本体１０に取付けられる各幕板２０およびそのウッドデッキ本体１０への取付け構造について、図１ないし図７を用いて説明する。なお、以下の説明において、ウッドデッキ本体１０の図１および図２で見て左手前側の框面に取付けられる「前面幕板２０Ａ」と、両サイドの框面に取付けられる「側面幕板２０Ｂ」について、両者の基本的構造が同じ箇所については、これらを「幕板２０」とまとめて説明する。
【００３２】
各幕板２０は、上述した各デッキ板１３と同じ合成木材により成型されている。これにより、各幕板２０に木質感を持たせながら、各幕板２０の対候性を高めて腐敗とひび割れとを防止することができる。図４ないし図７に示すように、各幕板２０は、複数の空洞を備えた長尺の板状に成型されており、その各空洞は各幕板２０の長手方向に沿って延びる角柱形状に形成されている。これにより、各幕板２０に十分な強度を持たせながら、各幕板２０を軽量化して扱いやすくすることができる。各幕板２０は、その上面および外側面が、その表面粗さが粗く加工されている。これにより、各幕板２０の木質感を高めて各幕板２０の見栄えを向上させることができる。さらに、各幕板２０の表裏および上下を判別しやすくして、各幕板２０の取付けの作業性を向上させることができる。
【００３３】
各側面幕板２０Ｂは、図１および図２に示すように、各デッキ板１３とほぼ同じ長さの長尺の板状に形成されている。図２に示すように、各側面幕板２０Ｂは、その板面をウッドデッキ本体１０の両サイドの框面（外側面）に取付けられている。図７に示すように、各側面幕板２０Ｂは、その上面がデッキ面と面一となるように取付けられている。これにより、ウッドデッキ本体１０の内部の骨組み構造が外部から面で覆われた状態となるため、ウッドデッキ１の使用性および見栄えが向上する。
【００３４】
前面幕板２０Ａは、図１および図２に示すように、ウッドデッキ１の長辺と同じ長さで各側面幕板２０Ｂと同じ板幅の長尺の板状に形成されている。図２に示すように、前面幕板２０Ａは、その板面をウッドデッキ本体１０の手前側の框面（外側面）にあてがうように取付けられている。図６に示すように、前面幕板２０Ａは、その上面がデッキ面と面一となるように取付けられている。これにより、ウッドデッキ本体１０の内部の骨組み構造が外部から面で覆われた状態となるため、ウッドデッキ１の使用性および見栄えが向上する。
【００３５】
前面幕板２０Ａは、図４に示すように、その側面幕板２０Ｂが突き合わされる各側の端部がそれぞれキャップ２０Ａ１により覆われている。これにより、前面幕板２０Ａの各端部に露呈する内部の空洞が閉鎖されており、水などの異物が侵入しにくいようにカバーされている。上記前面幕板２０Ａは、その長手方向に２枚に分割されて構成されており、これらが後述する取付け金具２１’によって後から継ぎ合わされる構成となっている。これにより、作業者が前面幕板２０Ａを取り回すときに必要となるスペースが狭くなって、作業者が前面幕板２０Ａを扱いやすくなる。
【００３６】
上記各幕板２０のウッドデッキ本体１０への取付けは、各幕板２０に取付けられた複数の取付け金具２１と、ウッドデッキ本体１０の外周面を構成する外側面に取付けられた複数の被取付け金具１１と、を係合させる金具同士の係合により行われる。ここで、各被取付け金具１１の具体的な構成について、図１、図３、図６および図７を用いて説明する。各被取付け金具１１は、アルミニウムなどの耐久性に優れた金属により形成されている。図３に示すように、各被取付け金具１１は、大引き材１２の手前側の側面および各端部にネジ１１Ｅで固定されている。厳密には、図１および図３に示すように、各大引き材１２の両端部には、被取付け金具１１の代わりに被取付け金具１１’が取付けられている。
【００３７】
なお、各被取付け金具１１’は、後述する当接部１１Ｃ’を除いて、各被取付け金具１１と全く同じ構成である。そのため、各被取付け金具１１’の各構成のうち、各被取付け金具１１と共通する構成については、各被取付け金具１１の各構成に付した符号に「’」を追加した符号を付して対応させ、その詳細な説明を省略する。各被取付け金具１１は、図６に示すように、平板を折り曲げて複数の段差を設けた形状に形成されている。これにより、各被取付け金具１１が後述するネジ２１Ｃの頭などの突起と干渉しないようになっている。また、各幕板２０が後述する載置アーム１１Ｂに載置されたときに、各被取付け金具１１が各幕板２０の内側の板面に当接して、各幕板２０をより安定させることができる。
【００３８】
各被取付け金具１１は、図６に示すように、各取付け金具２１の引掛け部２１Ａに引掛けられる被引掛け部１１Ａと、各幕板２０を載置する載置アーム１１Ｂと、各デッキ板１３に当接してこのデッキ板１３を位置決めする当接部１１Ｃと、各束材１４の上縁部１４Ａ１で形成された台座に載置される被載置部１１Ｄと、を備えている。ここで、上記各上縁部１４Ａ１が本発明における「台座」に相当する。図６に示すように、被引掛け部１１Ａは、平板を上向きに折り曲げた形状のフックとして形成されている。被引掛け部１１Ａは、金具同士の引掛け構造を構成するようになっている。この金具同士の引掛け構造は、取付け金具２１の引掛け部２１Ａを上側から引掛けることで構成される。この金具同士の引掛け構造は、幕板２０をウッドデッキ本体１０の外側部に対して内外方向へ移動しないように拘束し、かつ、この内外方向以外の方向に対しては幕板２０の移動を許容する自由状態とするものである。
【００３９】
被引掛け部１１Ａは、厳密には、そのフックの先端部が倒れるように曲げられた形状に形成されており、その先端部が外方かつ上方（図６で見て左上方向）に向かっている。これにより、上記金具同士の引掛け構造の強度を保ちながら、引掛け部２１Ａを被引掛け部１１Ａに引掛けやすくすることができる。図６に示すように、載置アーム１１Ｂは、その座面１１Ｂ１上に幕板２０を載置して、その幕板２０を本締めネジ１１Ｂ２によって締結して本締めする構成とされている。ここで、本締めネジ１１Ｂ２が本発明における「締結部材」に相当する。
【００４０】
載置アーム１１Ｂは、厳密には、その先端部の板厚が他の部位よりも厚く設定されて、後述する各取付け金具２１の底当て部２１Ｂの板厚と同じ長さだけ上方に突出した形状に形成されている。これにより、幕板２０が座面１１Ｂ１に載置されたときに、各取付け金具２１の底当て部２１Ｂが幕板２０に食い込まないようになる。このため、上記支持構造を安定させることができる。座面１１Ｂ１は、載置アーム１１Ｂの上面として形成されており、その上に幕板２０を載置することができるように構成されている。これにより、座面１１Ｂ１は、幕板２０の自重を下側から支持する支持構造を構成するようになっている。この支持構造は、幕板２０を重力方向へ移動しないように拘束し、かつ、重力方向以外の方向に対しては幕板２０の移動を許容する自由状態とするものである。
【００４１】
上記支持構造は上記金具同士の引掛け構造と同時に構成することができる。このため、各取付け金具２１の引掛け部２１Ａを各被取付け金具１１の被引掛け部１１Ａに引掛けることで各幕板２０の内外方向に対して各幕板２０の移動を拘束するとともに、各幕板２０の底面を各被取付け金具１１の座面１１Ｂ１に載置することで各幕板２０の自重を支持して、各幕板２０をウッドデッキ本体１０に仮留めした状態に保持させる仮留め構造が構成される。この仮留め構造では、各幕板２０は、各幕板２０の内外方向と重力方向以外の方向に対して、その移動が拘束されない自由状態となっている。このため、上記仮留め構造は、各幕板２０をウッドデッキ本体１０に仮留めした状態に保持したまま、各幕板２０をスライドさせて各幕板２０の取付け位置を調整できる構成となっている。
【００４２】
各本締めネジ１１Ｂ２は、各幕板２０の底面を締結する部材であり、上記各幕板２０の仮留め状態から各載置アーム１１Ｂと各幕板２０とに貫通するように下方側からねじ込まれる構成となっている。各幕板２０の仮留め状態では、各幕板２０が金具同士の引掛け構造によってウッドデッキ本体１０に対して内外方向に移動しないようにしっかりと拘束されるため、各幕板２０の仮留め状態から各幕板２０の底面を各被取付け金具１１の座面１１Ｂ１に対して下方側から締結することで、各幕板２０全体がウッドデッキ本体１０に対して内外方向に移動しないように本締めされて十分な保持強度で固定された状態となる。さらに、各本締めネジ１１Ｂ２の頭が外部から見えにくい各幕板２０の下方側に位置するため、ウッドデッキ１の見栄えを向上させることができる。各本締めネジ１１Ｂ２は、各幕板２０の底面に孔をうがちながらねじ込まれる部材であり、後述する各取付け金具１１の底当て部２１Ｂを回避するように座面１１Ｂ１に形成されたネジ穴に差し込まれる構成となっている。
【００４３】
続いて、各被取付け金具１１の当接部１１Ｃの構成について説明する。図３に示すように、図１で見て左手前側の大引き材１２の側面に取付けられた被取付け金具１１の当接部１１Ｃと、各大引き材１２の両端部に取付けられた被取付け金具１１’の当接部１１Ｃ’と、は異なる構成となっている。このため、以下では、各被取付け金具１１の当接部１１Ｃの説明と、各被取付け金具１１’の当接部１１Ｃ’の説明と、を別個に行う。
【００４４】
各被取付け金具１１の当接部１１Ｃは、図６に示すように、平板を上向きに折り曲げた形状のフックとして形成されている。各当接部１１Ｃは、ウッドデッキ本体１０の手前側（図６で見て左側）の端面に当接するようになっている。これにより、デッキ板１３を各デッキ板１３の長手方向（図６で見て左右方向）に係止して位置決めすることができる。そのため、被取付け金具１１に各デッキ板１３の敷設位置を位置決めする機能も持たせて、部品点数の合理化と、それに伴う組み付け作業の合理化と、を図ることができる。
【００４５】
各被取付け金具１１’の当接部１１Ｃ’は、図７に示すように、先端部が上向きに折り曲げられた板形状に形成されている。各当接部１１Ｃ’は、その先端部が各デッキ板１３の並びの端にあるデッキ板１３の外側面（図７で見て右側のデッキ板１３の右側面）に当接するようになっている。これにより、デッキ板１３を各デッキ板１３の並び方向（図示左右方向）に係止して位置決めすることができる。各当接部１１Ｃ’は、この当接部１１Ｃ’が当接しているデッキ板１３を外側（図示右側）からネジ１１Ｃ１’で締結することができる構成とされている。これにより、各被取付け金具１１’に各デッキ板１３の並びの端にあるデッキ板１３（図７で見て右側のデッキ板１３）の敷設位置を位置決めした状態に固定する機能も持たせて、部品点数の合理化と、それに伴う組み付け作業の合理化と、を図ることができる。
【００４６】
続いて、各被取付け金具１１の被載置部１１Ｄの構成について説明する。図６に示すように、被載置部１１Ｄは、板状に形成されており、その底面を束材１４の上縁部１４Ａ１に形成された台座に載置させている。被載置部１１Ｄは、上記載置アーム１１Ｂよりも上方かつ被取付け金具１１を各大引き材１２に締結するネジ１１Ｅよりも下方の位置に形成されている。これにより、被載置部１１Ｄは、載置アーム１１Ｂから受ける重力方向の荷重を各束材１４の上縁部１４Ａ１に形成された台座に支持させることができる。そのため、各載置アーム１１Ｂが各幕板２０から受ける重力方向の荷重を束材１４の強度で支持して、各幕板２０を支持する支持強度をより高くすることができる。
【００４７】
ところで、各被取付け金具１１は、図１に示すように、図示左手前側にある大引き材１２の左手前側の側面に取付けられている。詳しくは、この大引き材１２を支持する各束材１４上の３箇所と、その中間の２箇所と、にそれぞれ取付けられている。また、被取付け金具１１’は、３本の大引き材１２の各端部に取付けられており、各束材１４から離れて位置している。これにより、各束材１４上に位置した各被取付け金具１１の被載置部１１Ｄのみが、各束材１４の上縁部１４Ａ１に形成された台座に載置されている。
【００４８】
ここまで、各被取付け金具１１の各構成について説明してきた。続いて、各幕板２０に取付けられる各取付け金具２１の各構成について、図１および図４ないし図７を用いて説明する。各取付け金具２１は、具体的には、アルミニウムなどの耐久性に優れた金属により形成されている。上記各被取付け金具１１と各取付け金具２１とがともに金属で形成されていることにより、上述した金具同士の引掛け構造と支持構造との強度が担保されている。図１に示すように、各取付け金具２１は、各幕板２０を取付けたときに各被取付け金具１１、１１’と対面するような配置で、各幕板２０に取付けられている。図４および図５に示すように、各取付け金具２１は、前面幕板２０Ａの内側の板面（図４参照）および側面幕板２０Ｂの内側の板面（図５参照）に面であてがわれてネジ２１Ｃで固定されている。
【００４９】
なお、前面幕板２０Ａを継ぎ合わせる位置にある取付け金具２１の取付け個所（図４で見て右にある取付け個所）には、図１および図４に示すように、厳密には、取付け金具２１の代わりに取付け金具２１’が取付けられている。図４に示すように、取付け金具２１’は、その前面幕板２０Ａの長手方向の幅が各取付け金具２１よりも広く設定されている。取付け金具２１’は、２枚に分割された前面幕板２０Ａにまたがるように両前面幕板２０Ａの内側の板面に面であてがわれており、両前面幕板２０Ａにそれぞれネジ２１Ｃ’で締結されている。これにより、２枚の前面幕板２０Ａに別部材を取付けなくても、両前面幕板２０Ａを継ぎ合わせることができる。上述した点を除いて、各取付け金具２１と取付け金具２１’とは全く同じ構成である。そのため、取付け金具２１’の各構成については、各取付け金具２１の各構成に付した符号に「’」を追加した符号を付して対応させ、その詳細な説明を省略する。
【００５０】
各取付け金具２１には、図４ないし図７に示すように、上述した各被取付け金具１１、１１’の被引掛け部１１Ａ、１１Ａ’に引掛けるための引掛け部２１Ａと、各取付け金具２１を各幕板２０にセットするための底当て部２１Ｂと、が設けられている。図６および図７に示すように、引掛け部２１Ａは、平板を下向きに折り曲げた形状のフックとして形成されている。また、引掛け部２１Ａは、幕板２０の内側の板面内における中央よりも上方寄りの位置から突出している。これにより、各取付け金具２１を各被取付け金具１１、１１’に引掛けて係合させる際に、引掛け部２１Ａが幕板２０の上方側から視認しやすくなるため作業性が向上する。また、上述した支持構造および本締めの構造が構成される幕板２０の底面から離れた位置で、上述した金具同士の引掛け構造が構成されるようになる。そのため、各幕板２０がウッドデッキ本体１０により安定的に保持されるようになる。
【００５１】
各底当て部２１Ｂは、図４および図６に示すように、断面「Ｌ」字となる板状に形成されている。各底当て部２１Ｂは、その板面を幕板２０の内側の板面と底面とに面であてがうことで、各取付け金具２１の各幕板２０に対する位置決めを行うように構成されている。これにより、各幕板２０を、各幕板２０の板厚方向と、上下方向と、に同時に位置決めできるようになる。そのため、各取付け金具２１の取付けの作業性を向上させることができる。
【００５２】
このように、本実施例のウッドデッキ１によれば、各幕板２０の各取付け金具２１をウッドデッキ本体１０の各被取付け金具１１に引掛けるとともに各幕板２０を各被取付け金具１１の座面１１Ｂ１上に載置する簡単な作業により、各幕板２０を金具同士の係合によってウッドデッキ本体１０に引掛けた状態にして保持することができる。したがって、各幕板２０の取付けの際に、作業者が各幕板２０をウッドデッキ本体１０の側面部にあてがった状態にして保持しておく作業が不要になり、各幕板２０の取付けの作業性を大幅に向上させることができる。
【００５３】
また、各幕板２０と各被取付け金具１１の座面１１Ｂ１とを各本締めネジ１１Ｂ２を下方側からねじ込んで締結するだけで、各幕板２０をウッドデッキ本体１０に対して十分な保持強度でもって固定するように本締めすることができる。さらに、各本締めネジ１１Ｂ２の頭が外部から見えにくい幕板の下方側に位置するので、ウッドデッキ１の見栄えを向上させることができる。
【００５４】
また、各取付け金具２１を各被取付け金具１１に引掛けて係合させる際に、各取付け金具２１の引掛け部２１Ａが視認しやすくなるため作業性が向上する。
【００５５】
また、各取付け金具２１を各幕板２０に対して板厚方向と上下方向とに同時にあてがって位置決めすることができるため、かかる取付けの作業性を向上させることができる。
【００５６】
また、各被取付け金具１１、１１’にそれぞれ当接部１１Ｃ、１１Ｃ’を設けたことにより、各被取付け金具１１、１１’に各デッキ板１３の敷設位置を位置決めする機能も持たせることができる。そのため、部品点数の合理化と、それに伴う組み付け作業の合理化と、を図ることができる。
【００５７】
また、各載置アーム１１Ｂが各幕板２０から受ける重力方向の荷重を各束材１４の強度で支持できるので、各幕板２０をウッドデッキ本体１０によって支持する支持強度をより高くすることができる。
【００５８】
以上、本発明の実施形態を１つの実施例を用いて説明したが、本発明は上記実施例１のほか各種の形態で実施できるものである。例えば、取付け金具の引掛け部は被取付け金具の被引掛け部に上方から引掛けて係合させる構成である必要はなく、例えば取付け金具の引掛け部を取付け金具の被引掛け部に下方から引掛けて係合させる構成や、取付け金具の引掛け部を被取付け金具の被引掛け部に横方向のスライドによって引掛けて係合させる構成であってもよい。また、取付け金具の引掛け部のフックが幕板の上方寄りの板面から突出している必要はなく、例えば取付け金具の引掛け部のフックが幕板の下方寄りの板面から突出していてもよい。ただし、この場合はウッドデッキ本体による幕板の保持が安定しないおそれがある。
【００５９】
また、引掛け部と被引掛け部との係合は、引掛け部と被引掛け部とに一本ずつ設けられたフックを引掛ける構成である必要はなく、例えば引掛け部と被引掛け部とを複数のフックを引掛けることで係合する構成や、引掛け部と被引掛け部の一方に形成されたフックをもう一方に形成された穴に引掛ける形で係合を行う構成であってもよい。また、被取付け金具が大引き材に取付けられている必要はなく、幕板が取付けられるウッドデッキ本体の側面にある部材であればどの部材であっても被取付け金具に取付けることができる。ただし、被取付け金具が取付けられる部材は、被取付け金具が幕板から受ける荷重を支持できる強度の高い部材であることが好ましい。
【００６０】
また、本締めの締結部材としてネジを用いる必要はなく、例えば釘などのネジ以外の差し込み式の締結部材を差し込んで締結を行うことで本締めする構成であってもよい。また、本締めを幕板の底面側から行う必要はなく、例えば幕板を外側からウッドデッキ本体に締結して本締めする構成であってもよい。また、被取付け金具に当接部が設けられている必要はなく、例えば被取付け金具とは別にデッキ板を位置決めする部材をウッドデッキ本体に設けた構成であってもよい。また、台座は束材の上面を利用したものである必要はなく、例えばウッドデッキ本体に別個に台座が設けられた構成であってもよい。また、束材が上部束材と下部束材とで構成されている必要はなく、例えば束材全体が一体に構成されていてもよい。
【００６１】
また、束材が地盤の上に載置された基礎石に固定金具を介して固定された構成である必要はなく、例えば基礎石が地盤の中に埋設された構成や、束材が基礎石や地盤に直接固定される構成であってもよい。また、束材と大引き材と根がらみとが金属製である必要はなく、例えば束材と大引き材と根がらみとを木製とすることもできる。また、デッキ板および幕板の素材は合成木材に限定されず、例えばデッキ板および幕板を木製とすることもできる。また、デッキ板の形状は実施例１の構成に限定されず、例えば内部に空洞がないデッキ板を使用したり、デッキ板を正方形の板状としたり、ウッドデッキ本体の天板全体を１枚のデッキ板で構成したりすることもできる。
【００６２】
また、幕板の形状は実施例１の構成に限定されず、幕板内部の空洞や幕板の分割の有無は適宜設定することができる。また、幕板の上下方向の幅は実施例１の構成に限定されず、例えばウッドデッキ本体の側面全体を幕板で覆うこともできる。ただし、幕板の底面が地盤近くにあると、幕板の底面側から差し込み式の締結部材を差し込んで本締めを行う作業が難しくなる。また、幕板はウッドデッキ本体の家屋に面していない全ての外側面を覆うように取付けられている必要はなく、ウッドデッキ本体の外側面のうち少なくとも一部を覆うように幕板が取付けられているウッドデッキならば、本発明を適用することができる。
【００６３】
実施例１のウッドデッキ１は、図１および図２に示すように、そのウッドデッキ本体１０が、枠状に組み上げられた骨組みの上に長尺状のデッキ板１３を並べて敷設して天板面を形成した構成となっている。しかし、本発明の実施形態はこれに限定されたものではなく、ウッドデッキ本体の外側部にこの外側部を覆う幕板が取付けられる形式のウッドデッキであれば、ウッドデッキ本体がどのような構成で組み上げられたものであっても、本発明を適用することができる。
【符号の説明】
【００６４】
１          ウッドデッキ
１０        ウッドデッキ本体
１１        被取付け金具
１１Ａ      被引掛け部
１１Ｂ      載置アーム
１１Ｂ１    座面
１１Ｂ２    本締めネジ（締結部材）
１１Ｃ      当接部
１１Ｄ      被載置部
１１Ｅ      ネジ
１１’      被取付け金具
１１Ａ’    被引掛け部
１１Ｂ’    載置アーム
１１Ｂ１’  座面
１１Ｂ２’  本締めネジ（締結部材）
１１Ｃ’    当接部
１１Ｃ１’  ネジ
１１Ｄ’    被載置部
１１Ｅ’    ネジ
１２        大引き材
１２Ａ      デッキ支持部
１２Ａ１    載置レール
１２Ａ２    係合溝
１２Ｂ      空洞部
１２Ｂ１    ビスホール
１２Ｃ      ダボ溝
１３        デッキ板
１３Ａ      位置決め金具
１３Ｂ      ネジ
１４        束材
１４Ａ      上部束材
１４Ａ１    上縁部（台座）
１４Ａ２    ダボ
１４Ａ３    ネジ
１４Ａ４    ネジ
１４Ｂ      下部束材
１４Ｂ１    テクスビス
１５        基礎石
１５Ａ      固定金具
１５Ｂ      ネジ
１６        根がらみ
１６Ａ      ネジ
２０        幕板
２０Ａ      前面幕板
２０Ａ１    キャップ
２０Ｂ      側面幕板
２１        取付け金具
２１Ａ      引掛け部
２１Ｂ      底当て部
２１Ｃ      ネジ
２１’      取付け金具
２１Ａ’    引掛け部
２１Ｂ’    底当て部
２１Ｃ’    ネジ
１１０      ウッドデッキ
１１２      土台
１１３      床パネル
１１５      基礎
１２０      幕板
１２１      ネジ
Ｇ          地盤
Ｗ          家屋
【図１】
0005591727.tif 000002
【図２】
0005591727.tif 000003
【図３】
0005591727.tif 000004
【図４】
0005591727.tif 000005
【図５】
0005591727.tif 000006
【図６】
0005591727.tif 000007
【図７】
0005591727.tif 000008
【図８】
0005591727.tif 000009